(57)【要約】  ダイバーシティ受信機を動作させる技術が記述される。ユーザ装置（ＵＥ）は、（ｉ）等化器および第１のレイク受信機を有する第１の受信チェーンと、（ｉｉ）第２のレイク受信機を有する第２の受信チェーンを含む。ＵＥは、（ｉ）受信伝送を処理するために等化器だけが使用される第１のモードと、（ｉｉ）受信伝送を処理するために両方のレイク受信機が使用される第２のモードとをサポートする。ＵＥは、（例えば、等化器の性能に基づく）第１のモードについての第１の性能メトリックと、（例えば、両方のレイク受信機または第１のレイク受信機だけの性能に基づく）第２のモードについての第２の性能メトリックを決定する。ＵＥは、性能メトリックに基づいて第１のモードまたは第２のモードを選択し、第１のモードが選択された場合には第２の受信チェーンをパワーダウンする。【選択図】    図２
2010514273.tif 000002
【特許請求の範囲】
【請求項１】
受信伝送を処理するために使用されている第１の受信チェーン内の等化器を有する第１のモードについて第１の性能メトリックを決定し、前記受信伝送を処理するために使用されている前記第１の受信チェーン内の第１のレイク受信機および第２の受信チェーン内の第２のレイク受信機を有する第２のモードについて第２の性能メトリックを決定し、前記第１および第２の性能メトリックに基づいて前記第１または第２のモードを選択し、前記第１のモードが選択された場合に前記第２の受信チェーンをパワーダウンするように構成された少なくとも１つのプロセッサと；
前記少なくとも１つのプロセッサに結合されたメモリと；
を備えた装置。
【請求項２】
前記少なくとも１つのプロセッサは、前記等化器の性能に基づいて前記第１の性能メトリックを決定し、前記第１および第２のレイク受信機の性能に基づいて前記第２の性能メトリックを決定するように構成された、請求項１に記載の装置。
【請求項３】
前記少なくとも１つのプロセッサは、各更新間隔において前記第１および第２の性能メトリックを決定し、前記第１のモードが選択されているときに前記第２の性能メトリックを決定するために、各更新間隔において周期的に前記第２の受信チェーンをパワーアップするように構成された、請求項２に記載の装置。
【請求項４】
前記少なくとも１つのプロセッサは、前記等化器の性能に基づいて前記第１の性能メトリックを決定し、前記第１のモードが選択されている場合に前記第１のレイク受信機だけの性能に基づいて前記第２の性能メトリックを決定するように構成された、請求項１に記載の装置。
【請求項５】
前記少なくとも１つのプロセッサは、前記第２のモードが選択されている場合に、前記第１および第２のレイク受信機の性能に基づいて前記第２の性能メトリックを決定するように構成された、請求項４に記載の装置。
【請求項６】
前記少なくとも１つのプロセッサは、前記第１の性能メトリックと前記第２の性能メトリックとを比較し、前記第１の性能メトリックが前記第２の性能メトリックより良い場合には前記第１のモードを選択し、前記第２の性能メトリックが前記第１の性能メトリックより良い場合には前記第２のモードを選択するように構成された、請求項１に記載の装置。
【請求項７】
前記少なくとも１つのプロセッサは、前記第１および第２の性能メトリックと少なくとも１つの閾値とを比較し、前記比較の結果に基づいて前記第１または第２のモードを選択するように構成された、請求項１に記載の装置。
【請求項８】
前記少なくとも１つのプロセッサは、前記第１または第２のモードが選択された場合には前記等化器および前記第１のレイク受信機をパワーアップし、前記第２のモードが選択された場合に限って前記第２のレイク受信機をパワーアップするように構成された、請求項１に記載の装置。
【請求項９】
前記少なくとも１つのプロセッサは、受信伝送を処理するために使用されている前記第２の受信チェーン内の前記第２のレイク受信機を有する第３のモードについて第３の性能メトリックを決定し、前記第１、第２および第３の性能メトリックに基づいて前記第１、第２または第３のモードを選択するように構成された、請求項１に記載の装置。
【請求項１０】
前記少なくとも１つのプロセッサは、受信伝送を処理するために使用されている前記第１の受信チェーン内の前記等化器および前記第２の受信チェーン内の第２の等化器を有する第３のモードについて第３の性能メトリックを決定し、前記第１、第２および第３の性能メトリックに基づいて前記第１、第２または第３のモードを選択するように構成された、請求項１に記載の装置。
【請求項１１】
前記第１および第２の性能メトリックは、チャネル品質指標（ＣＱＩ）、１チップ当たりのエネルギー対総受信電力比（energy−per−chip−to−total−received−power ratio：Ｅｃ／Ｉｏ）、および１ビット当たりのエネルギー対総雑音比（energy−per−bit−to−total−noise ratio：Ｅｂ／Ｎｔ）のうちの少なくとも１つを備える、請求項１に記載の装置。
【請求項１２】
受信伝送を処理するために使用されている第１の受信チェーン内の等化器を有する第１のモードについて第１の性能メトリックを決定することと；
前記受信伝送を処理するために前記第１の受信チェーン内の第１のレイク受信機および第２の受信チェーン内の第２のレイク受信機を有する第２のモードについて第２の性能メトリックを決定することと；
前記第１および第２の性能メトリックに基づいて前記第１または第２のモードを選択することと；
前記第１のモードが選択された場合には前記第２の受信チェーンをパワーダウンすることと；
を備えた方法。
【請求項１３】
前記第１の性能メトリックを決定することは、前記等化器の性能に基づいて前記第１の性能メトリックを決定することを備え、前記第２の性能メトリックを決定することは、前記第１および第２のレイク受信機の性能に基づいて前記第２の性能メトリックを決定することを備える、請求項１２に記載の方法。
【請求項１４】
前記第１のモードが選択されているときに前記第２の性能メトリックを決定するために、前記第２の受信チェーンを周期的にパワーアップすることをさらに備える、請求項１３に記載の方法。
【請求項１５】
前記第１の性能メトリックを決定することは、前記等化器の性能に基づいて前記第１の性能メトリックを決定することを備え、前記第２の性能メトリックを決定することは、前記第１のモードが選択されている場合に前記第１のレイク受信機だけの性能に基づいて前記第２の性能メトリックを決定することを備える、請求項１２に記載の方法。
【請求項１６】
前記第１または第２のモードを選択することは、
前記第１の性能メトリックと前記第２の性能メトリックとを比較することと、
前記第１の性能メトリックが前記第２の性能メトリックより良い場合には前記第１のモードを選択することと、
前記第２の性能メトリックが前記第１の性能メトリックより良い場合には前記第２のモードを選択することと、
を備える、請求項１２に記載の方法。
【請求項１７】
受信伝送を処理するために使用されている第１の受信チェーン内の等化器を有する第１のモードについて第１の性能メトリックを決定する手段と；
前記受信伝送を処理するために使用されている前記第１の受信チェーン内の第１のレイク受信機および第２の受信チェーン内の第２のレイク受信機を有する第２のモードについて第２の性能メトリックを決定する手段と；
前記第１および第２の性能メトリックに基づいて前記第１または第２のモードを選択する手段と；
前記第１のモードが選択された場合には前記第２の受信チェーンをパワーダウンする手段と；
を備えた装置。
【請求項１８】
前記第１の性能メトリックを決定する手段は、前記等化器の性能に基づいて前記第１の性能メトリックを決定する手段を備え、前記第２の性能メトリックを求める手段は、前記第１および第２のレイク受信機の性能に基づいて前記第２の性能メトリックを決定する手段を備える、請求項１７に記載の装置。
【請求項１９】
前記第１のモードが選択されているときに前記第２の性能メトリックを決定するために、前記第２の受信チェーンを周期的にパワーアップする手段をさらに備える、請求項１８に記載の装置。
【請求項２０】
前記第１の性能メトリックを決定する手段は、前記等化器の性能に基づいて前記第１の性能メトリックを決定する手段を備え、前記第２の性能メトリックを決定する手段は、前記第１のモードが選択されている場合に前記第１のレイク受信機だけの性能に基づいて前記第２の性能メトリックを決定する手段を備える、請求項１７に記載の装置。
【請求項２１】
前記第１または第２のモードを選択する手段は、
前記第１の性能メトリックと前記第２の性能メトリックとを比較する手段と、
前記第１の性能メトリックが前記第２の性能メトリックより良い場合には前記第１のモードを選択する手段と、
前記第２の性能メトリックが前記第１の性能メトリックより良い場合には前記第２のモードを選択する手段と、
を備える、請求項１７に記載の装置。
【請求項２２】
コンピュータ可読媒体を備えるコンピュータプログラム製品であって、
前記コンピュータ可読媒体は、
少なくとも１つのコンピュータに、受信伝送を処理するために使用されている第１の受信チェーン内の等化器を有する第１のモードについて第１の性能メトリックを決定させるコードと；
前記少なくとも１つのコンピュータに、前記受信伝送を処理するために使用されている前記第１の受信チェーン内の第１のレイク受信機および第２の受信チェーン内の第２のレイク受信機を有する第２のモードについて第２の性能メトリックを決定させるコードと、
前記少なくとも１つのコンピュータに、前記第１および第２の性能メトリックに基づいて前記第１または第２のモードを選択させるコードと；
前記少なくとも１つのコンピュータに、前記第１のモードが選択された場合には前記第２の受信チェーンをパワーダウンさせるコードと；
を備えた、コンピュータプログラム製品。
【請求項２３】
前記コンピュータ可読媒体は、
前記少なくとも１つのコンピュータに、前記等化器の性能に基づいて前記第１の性能メトリックを決定させるコードと；
前記少なくとも１つのコンピュータに、前記第１および第２のレイク受信機の性能に基づいて前記第２の性能メトリックを決定させるコードと；
をさらに備える、請求項２２に記載のコンピュータプログラム製品。
【請求項２４】
前記コンピュータ可読媒体は、
前記少なくとも１つのコンピュータに、前記等化器の性能に基づいて前記第１の性能メトリックを決定させるコードと；
前記少なくとも１つのコンピュータに、前記第１のモードが選択されている場合に前記第１のレイク受信機だけの性能に基づいて前記第２の性能メトリックを決定させるコードと；
をさらに備える、請求項２２に記載のコンピュータプログラム製品。
【発明の詳細な説明】
【関連出願】
【０００１】
本出願は、本出願と同じ譲受人に譲渡され、参照により本明細書に組み込まれる、２００６年１２月１４日に出願された「等化器が使用されるときのＵＭＴＳ受信ダイバーシティチェーンの電力消費低減（Power Consumption Reduction of UMTS Receive Diversity Chain When Equalizer Is Used）」という名称の米国仮出願第６０／８７００２７号の優先権を主張するものである。
【技術分野】
【０００２】
本開示は、一般に通信に関し、より詳細には、無線通信システムにおいてユーザ装置（ＵＥ）を動作させる技術に関する。
【背景技術】
【０００３】
音声、映像、パケットデータ、メッセージング、放送などといった様々な通信サービスを提供するための無線通信システムが広範囲に配備されている。これらの無線システムは、使用可能なシステムリソースを共有することにより複数のユーザをサポートすることのできる多元接続システムとすることができる。このような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムなどが含まれる。
【０００４】
ＣＤＭＡシステムにおけるＵＥ（携帯電話機など）は、受信信号を処理するのにレイク受信機を用いることができる。レイク受信機は、探索器（searcher）および複数の復調素子（すなわちレイクフィンガ）を含む。探索器は、受信信号中の強いマルチパスを探索する。レイクフィンガは、探索器によって検出された強いマルチパスを処理するために割り当てられる。各レイクフィンガは、それに割り当てられたマルチパスを処理し、このマルチパスの検出シンボルを提供する。次いで、データシンボル推定値を得るために割り当てられたすべてのフィンガからの検出シンボルが合成される。レイク受信機は、低いジオメトリで動作するＣＤＭＡシステムに許容可能な性能、例えば低い信号対干渉雑音比（ＳＩＮＲ）などを提供することができる。
【０００５】
また、受信信号を処理するのに等化器も使用される。等化器は、熱雑音、他の伝送による干渉、無線チャネルにおけるマルチパスおよびひずみから生じ得るシンボル間干渉（ＩＳＩ）といったあらゆる雑音成分を低減しようと試みる。高いジオメトリでは、ＩＳＩが顕著になり得る。等化器は、レイク受信機よりもＩＳＩを効果的に抑制することができる。したがって、等化器は、高いジオメトリにおいては、レイク受信機より高い性能を提供することができる。
【０００６】
ＵＥは、有害な経路の影響に対するダイバーシティを得るために複数の受信アンテナを備えるダイバーシティ受信機を用いる。典型的には、基地局アンテナとＵＥの各受信アンテナとの間には、少なくとも１つの伝搬路が存在する。一般に少なくともある程度まで当てはまる、異なるアンテナの伝搬路が独立である場合、基地局からの信号を受信するのに複数のアンテナが使用されると、ダイバーシティが増大し、受信信号品質が向上する。
【０００７】
ＵＥは、１つまたは複数のアンテナを介して受信される伝送を処理するための様々なハードウェアブロックを有する。これらのハードウェアブロックは、動作時に電力を消費する。ＵＥの電池寿命を延ばすためには、これらのハードウェアブロックによる電力消費を低減することが望ましい。
【発明の概要】
【０００８】
本明細書では、ＵＥがダイバーシティ受信機を良好なデータ性能およびより低い電力消費を達成するように動作させる技術を説明する。一設計において、ＵＥは、（ｉ）等化器および第１のレイク受信機を有する第１の受信チェーンと、（ｉｉ）第２のレイク受信機を有する第２の受信チェーンとを含む。ＵＥは、（ｉ）受信伝送を処理するのに等化器だけが使用される第１のモードと、（ｉｉ）受信伝送を処理するのに第１および第２のレイク受信機が使用される第２のモードをサポートする。
【０００９】
一設計において、ＵＥは、等化器の性能などに基づいて第１のモードについての第１の性能メトリックを求める。ＵＥは、両方のレイク受信機、または第１のレイク受信機だけの性能などに基づいて第２のモードについての第２の性能メトリックを求める。ＵＥは、第１および第２の性能メトリックに基づいて第１または第２のモードを選択し、第１のモードが選択される場合には第２の受信チェーンの電力を下げる。第２の性能メトリックが両方のレイク受信機に基づくものである場合、ＵＥは、第１のモードが選択されているときに第２の性能メトリックを求めるために周期的に第２の受信チェーンの電力を上げる。
【００１０】
ＵＥは、別のモードおよび／または追加のモードをサポートしてもよい。例えばＵＥは、（ｉ）受信伝送を処理するのに第２のレイク受信機だけが使用されるモード、（ｉｉ）受信伝送を処理するのに第１の受信チェーンの等化器と第２の受信チェーンの第２の等化器が使用されるモード、および／または（ｉｉｉ）他のモードをサポートする。一般には、任意の数のサポートモードのために任意の数の性能メトリックが求められ、サポートモードの１つを選択するのに使用される。選択されたモードに使用されないハードウェアブロックの電源は、電池電力を節約するために切られてもよい。
【００１１】
本開示の様々な態様および特徴を以下でさらに詳細に説明する。
【図面の簡単な説明】
【００１２】
【図１】図１は無線通信システムにおける伝送を示す図である。
【図２】図２はダイバーシティ受信機を用いたＵＥの一設計を示すブロック図である。
【図３】図３はＵＥによってサポートされる２つのモードを示す状態図である。
【図４】図４はＵＥの別の設計を示すブロック図である。
【図５】図５は等化器を示すブロック図である。
【図６】図６はレイク受信機を示すブロック図である。
【図７】図７はＵＥがダイバーシティ受信機を動作させるプロセスを示す図である。
【発明の詳細な説明】
【００１３】
図１は無線通信システムにおける伝送の一例を示す。簡単にするために、図１には、１つのＮｏｄｅ  Ｂ１１０と１つのＵＥ１２０だけしか示していない。Ｎｏｄｅ  Ｂは、一般に各ＵＥと通信する固定局であり、進化型Ｎｏｄｅ  Ｂ（evolved Node B：ｅＮｏｄｅ  Ｂ）、基地局、アクセスポイントなどともいう。ＵＥは、固定式でも移動式でもよく、移動局、端末、アクセス端末、加入者ユニット、局などともいう。ＵＥは、携帯電話機、携帯情報端末（ＰＤＡ）、無線モデム、無線通信装置、ハンドヘルド機器、ラップトップコンピュータなどとすることができる。
【００１４】
Ｎｏｄｅ  Ｂ１１０は、ＵＥ１２０に無線周波数（ＲＦ）信号を送信する。このＲＦ信号は、直接パスおよび／または反射パスを含み得る１つまたは複数の信号パスを介してＵＥ１２０に到達する。反射パスは、無線環境内の障害物（建物、木立、車両、他の構造物など）による無線波の反射によって生じる。ＵＥ１２０は、送信されたＲＦ信号の複数のインスタンスまたはコピーを受信し得る。各受信信号インスタンスは、異なる信号パスを介して取得され、この信号パスによって決定される特有の複素利得(complex gain)および特有の時間遅延を有する。ＵＥ１２０における受信ＲＦ信号は、ＵＥにおけるすべての受信信号インスタンスの重ね合わさったものである。またＵＥ１２０は、他の送信局からの干渉伝送も受信する。干渉伝送は図１に破線で示されている。
【００１５】
本明細書で説明する技術は、ＣＤＭＡ、ＴＤＭＡ、ＦＤＭＡ、ＯＦＤＭＡ、ＳＣ−ＦＤＭＡの各システムといった様々な無線通信システムから信号を受信するのに使用され得る。「システム」および「ネットワーク」という用語はしばしば置換可能に使用される。ＣＤＭＡシステムは、ユニバーサル地上無線接続（Universal Terrestrial Radio Access：ＵＴＲＡ）、ｃｄｍａ２０００などといった無線技術を実施し得る。ＵＴＲＡは、広帯域ＣＤＭＡ（Ｗ−ＣＤＭＡ）およびＣＤＭＡの他の変形を含む。ｃｄｍａ２０００は、ＩＳ−２０００（一般に「１ｘ」として知られる）、ＩＳ−９５、およびＩＳ−８５６（一般に「１ｘＥＶ−ＤＯ」として知られる）をカバーする。ＴＤＭＡシステムは、移動体通信のためのグローバルシステム（Global System for Mobile Communications：ＧＳＭ）などの無線技術を実施し得る。ＯＦＤＭＡシステムは、進化型ＵＴＲＡ（Evolved UTRA：Ｅ−ＵＴＲＡ）、ウルトラモバイルブロードバンド（Ultra Mobile Broadband：ＵＭＢ）、ＩＥＥＥ８０２．１６、ＩＥＥＥ８０２．２０、Ｆｌａｓｈ−ＯＦＤＭ（登録商標）などといった無線技術を実施し得る。これらの様々な無線技術および規格は当分野において周知である。ＧＳＭ、ＵＴＲＡおよびＥ−ＵＴＲＡは、「第３世代パートナーシッププロジェクト（3rd Generation Partnership Project）」（３ＧＰＰ）という名称の組織による文献に記載されている。ｃｄｍａ２０００およびＵＭＢは、「第３世代パートナーシッププロジェクト２（3rd Generation Partnership Project 2）」（３ＧＰＰ２）という名称の組織による文献に記載されている。３ＧＰＰおよび３ＧＰＰ２の文献は公表されている。また、これらの技術は、放送システム、衛星測位システムなどからの信号を受信するのに使用されてもよい。明確にするために、これらの技術のいくつかの態様を以下で、Ｗ−ＣＤＭＡを用いたユニバーサルモバイル通信システム（Universal Mobile Telecommunication System：ＵＭＴＳ）について説明する。
【００１６】
図２に、図１のＵＥ１２０の一設計であるＵＥ１２０ａのブロック図を示す。この設計において、ＵＥ１２０ａは、ダイバーシティ受信を得るために使用される２つの受信アンテナ２１０および２１２を含む。アンテナ２１０は、１次または主アンテナに指定されており、アンテナ２１２は、２次またはダイバーシティアンテナに指定されている。アンテナ２１０および２１２は、同じアンテナ設計を用いて実現されても異なるアンテナ設計を用いて実現されてもよい。例えばアンテナ２１０を外部アンテナとし、アンテナ２１２を内部アンテナとすることもできる。
【００１７】
第１の受信チェーン（チェーン１）は、主アンテナ２１０からの１次ＲＦ信号を処理するのに使用されるハードウェアブロックを含む。第１の受信チェーンを１次受信チェーン、主受信チェーンなどと呼んでもよい。図２に示す設計において、第１の受信チェーンは、受信機２２０、等化器２４２、およびレイク受信機２４４を含む。受信機２２０は、１次ＲＦ信号を処理してＤｉｎ１で表わす入力サンプルを得る。受信機２２０は、１つまたは複数の低雑音増幅器（ＬＮＡ）、ダウンコンバータ、フィルタ、増幅器、アナログ／ディジタル変換器（ＡＤＣ）などを含む。受信機２２０は、１次ＲＦ信号の増幅、フィルタリング、周波数ダウンコンバート、およびディジタル化を行い、ディジタル部２３０ａ内の等化器２４２およびレイク受信機２４４にＤｉｎ１サンプルを提供する。
【００１８】
第２の受信チェーン（チェーン２）は、ダイバーシティアンテナ２１２からの２次ＲＦ信号を処理するのに使用されるハードウェアブロックを含む。第２の受信チェーンを、２次受信チェーン、ダイバーシティ受信（ＲｘＤ）チェーンなどと呼んでもよい。図２に示す設計において、第２の受信チェーンは、受信機２２２およびレイク受信機２５４を含む。受信機２２２は、２次ＲＦ信号を処理してＤｉｎ２で表す入力サンプルを得る。受信機２２２は、１つまたは複数のＬＮＡ、ダウンコンバータ、フィルタ、増幅器、ＡＤＣなどを含む。受信機２２２は、２次ＲＦ信号の増幅、フィルタリング、周波数ダウンコンバート、およびディジタル化を行い、ディジタル部２３０ａ内のレイク受信機２５４にＤｉｎ２サンプルを提供する。
【００１９】
一般に、各受信機は、ＲＦ信号の調整に使用される任意の種類の回路ブロックをいくつ含んでいてもよい。受信機２２０および２２２は、同じ設計を有していても異なる設計を有していてもよい。例えば、受信機２２０は、最悪条件にあってもあらゆる適用可能な受信側要件を満たすように設計される。受信機２２２は、より低い電流で動作し、大部分の（必ずしも最悪の場合ではない）条件の下での受信側要件を満たすように設計される。
【００２０】
ディジタル部２３０ａ内において、第１の受信チェーンは２つの復調パスを含む。第１の復調パスでは、等化器２４２が、ＥＱ＿Ｅｎａｂｌｅ信号によってイネーブルにされたときＤｉｎ１サンプルを処理し、さらなる処理のためにデータプロセッサ２６０内の復号器２６２にデータシンボル推定値を提供する。また等化器２４２は、データプロセッサ２６０内のコントローラ２６４に、等化器２４２の性能を示す等化器（ＥＱ）メトリックも提供する。第２の復調パスでは、レイク受信機２４４が、Ｒａｋｅ１＿Ｅｎａｂｌｅ信号によってイネーブルにされたときＤｉｎ１サンプルを処理し、さらなる処理のために復号器２６２にデータシンボル推定値を提供する。またレイク受信機２４４は、コントローラ２６４およびＲｘＤ  レイクプロセッサ２５６に、レイク受信機２４４の性能を示すレイク受信機（Ｒａｋｅ１）メトリックも提供する。
【００２１】
ディジタル部２３０ａ内において、第２の受信チェーンは単一の復調パスを含む。この復調パスでは、レイク受信機２５４が、Ｒａｋｅ２＿Ｅｎａｂｌｅ信号によってイネーブルにされたときＤｉｎ２サンプルを処理し、さらなる処理のために復号器２６２にデータシンボル推定値を提供する。また、レイク受信機２５４は、ＲｘＤ  レイクプロセッサ２５６に、レイク受信機２５４の性能を示すレイク受信機（Ｒａｋｅ２）メトリックも提供する。メモリ２２８は、ディジタル部２３０ａ内の処理ユニットのためのデータおよびプログラムコードを格納する。
【００２２】
一般に、等化器およびレイク受信機には、様々な種類の性能メトリックが使用され得る。一設計では、性能メトリックとしてチャネル品質指標（ＣＱＩ）が使用され、パイロットおよび／または他の何らかの既知の伝送に基づいて求められる。別の設計では、性能メトリックとして１チップ当たりのエネルギー対総受信電力比（energy−per−chip−to−total−received−power ratio：Ｅｃ／Ｉｏ）が使用され、受信伝送に基づいて求められる。さらに別の設計では、性能メトリックとして１ビット当たりのエネルギー対総雑音比（energy−per−bit−to−total−noise ratio：Ｅｂ／Ｎｔ）が使用される。また、等化器およびレイク受信機の性能を定量化するのに別のメトリックが使用されてもよい。ＵＥ１２０ａのジオメトリを求めるのに１つまたは複数のメトリックが使用されてもよい。ジオメトリは、チャネル条件およびＳＩＮＲに関連し得る。
【００２３】
一般に、任意の所与の瞬間において、受信伝送を処理するために一方または両方の受信チェーンがイネーブルにされる。第１の受信チェーンでは、受信伝送を処理するために等化器２４２またはレイク受信機２４４が選択される。
【００２４】
第１の方式において、ＵＥ１２０ａは、以下のモードをサポートする。
【００２５】
モード１  チェーン１だけがイネーブルにされ、等化器２４２が選択される。
【００２６】
モード２  チェーン１とチェーン２の両方がイネーブルにされ、レイク受信機２４４とレイク受信機２５４の両方が選択される。
【００２７】
ＵＥ１２０ａは、２つのモードのうちの１つを様々なやり方で選択する。一設計では、２つのモードのそれぞれについて性能メトリックが計算される。次いで、２つのモードの性能メトリックに基づき、可能な限り電力消費を低減しつつ良好なデータ性能が達成されるように一方のモードが選択される。
【００２８】
一般に、等化器は、高いジオメトリではレイク受信機より良好な性能を提供し、低いジオメトリではごくわずかの利益しかもたらさない。逆に、両方の受信チェーンがイネーブルにされた受信ダイバーシティは、低いジオメトリでは著しく有利であるが、ジオメトリが高くなるとこれらの利点が減少し始める。よって、ジオメトリに基づいてモード１または２が選択される。
【００２９】
図２に示す設計において、ＲｘＤ  レイクプロセッサ２５６は、レイク受信機２４４からデータシンボル推定値およびレイク１メトリックを受け取り、レイク受信機２５４からデータシンボル推定値およびレイク２メトリックを受け取る。プロセッサ２５６は、両方のレイク受信機２４４および２５４の性能を示すＲｘＤ  レイクメトリックを求める。コントローラ２６４は、等化器２４２からＥＱメトリックを、プロセッサ２５６からＲｘＤ  レイクメトリックを受け取り、これらのメトリックに基づいてモード１または２を選択する。コントローラ２６４は、選択したモードに基づいて、２つの受信チェーン内の様々なハードウェアブロックをイネーブルまたはディセーブルにする制御信号を生成する。
【００３０】
図３に、第１の方式における２つのモードの状態図３００を示す。ＵＥ１２０ａは、任意の所与の瞬間においてモード１または２で動作する。ＵＥ１２０ａがモード１で動作しているときには、第１の受信チェーン（受信機２２０、等化器２４２など）がイネーブルにされて受信伝送を処理する。第２の受信チェーン（受信機２２２、レイク受信機２５４など）および第１の受信チェーン内のレイク受信機２４４は、電池電力を節約するためにディセーブルにされる。ＵＥ１２０ａは、モード１および２の性能メトリックを周期的に計算し、モード１のままとすべきかそれともモード２に移行すべきかを判定する。図３に示す設計では、モード２の性能メトリック（ＲｘＤ  レイクメトリックなど）がモード１の性能メトリック（ＥＱメトリックなど）より良い場合、ＵＥ１２０ａはモード２に移行する。
【００３１】
ＵＥ１２０ａがモード２で動作しているときには、両方の受信チェーンおよび両方のレイク受信機２４４、２５４がイネーブルにされて受信伝送を処理する。第１の受信チェーン内の等化器２４２は、電池電力を節約するためにディセーブルにされる。ＵＥ１２０ａは、モード１および２の性能メトリックを周期的に計算し、モード２のままとすべきかそれともモード１に戻るべきかを決定する。図３に示す設計では、モード１の性能メトリック（ＥＱメトリックなど）がモード２の性能メトリック（ＲｘＤ  レイクメトリックなど）より良い場合、ＵＥ１２０ａはモード１に戻る。
【００３２】
モード１で動作している間は、電池電力を温存するために第２の受信チェーンの電力を低減(power down)する。一設計において、ＵＥ１２０ａは、連続してではなく、Ｔを任意の適切な値とするＴ秒間の更新間隔ごとに周期的にＲｘＤ  レイクメトリックを計算する。ＵＥ１２０ａは、ＲｘＤ  レイクメトリックを計算するために、Ｔ秒ごとに第２の受信チェーン（およびモード１でディセーブルにされている場合にはレイク受信機２４２も）の電力を増強(power up)する。次いでＵＥ１２０ａは、ＲｘＤ  レイクメトリックとＥＱメトリックとを比較する。ＵＥ１２０ａは、ＥＱメトリックの方が良い場合には、第２の受信チェーン（および場合によってはレイク受信機２４２）の電力を低減する。ＲｘＤ  レイクメトリックの方が良い場合、ＵＥ１２０ａはモード２に移行し、第２の受信チェーンの電力を増加したままにする。更新間隔Ｔは、データ性能と電力節約の間のトレードオフに基づいて選択される。また、Ｔは、設定可能な値とすることもでき、電力節約に対してデータ性能を優先させる、ＵＥ１２０ａにおける使用可能な電池電力（ＵＥ１２０ａの電池電力が少ない場合はＴをより大きくするなど）などといった様々な要因に基づいて選択されてもよい。
【００３３】
別の設計では、モード１または２を選択するために、ただ１つレイク受信機（レイク受信機２４４など）の性能メトリックだけが等化器２４２の性能と比較される。等化器２４２の性能がレイク受信機２４４の性能に近い場合、ＵＥ１２０ａはモード２を選択し、第２の受信チェーンをイネーブルにする。等化器性能は、低いジオメトリではレイク受信機性能に近づく。よって、ＥＱメトリックがレイク１メトリックに近い場合、これは、ＵＥ１２０ａの観測しているジオメトリが低いことを意味する。この場合には、低いジオメトリにおいてより良好な性能を有する受信ダイバーシティを得るために、両方のレイク受信機２４４および２５４が選択される。
【００３４】
一般に、性能メトリックがＵＥ１２０ａの高いジオメトリを示す場合には、等化器２４２が選択され、第２の受信チェーンがパワーダウンされる。そうではなく、性能メトリックがＵＥ１２０ａの低いジオメトリを示す場合には、両方の受信チェーンがパワーアップされ、両方のレイク受信機２４４および２５４が選択される。等化器２４２が選択されたときに第２の受信チェーンをパワーダウンすることにより、ＵＥ１２０ａの電力消費は大幅に低減される。
【００３５】
図２に戻って、ＲｘＤ  レイクプロセッサ２５６は、モード２ではレイク受信機２４４および２５４から検出シンボルを受け取り、これらを合成し、データシンボル推定値を提供する。コントローラ２６４は、モード１では等化器２４２にそのデータシンボル推定値を復号器２６２に提供するように指示し、モード２ではプロセッサ２５６にデータシンボル推定値を復号器２６２に提供するように指示する。
【００３６】
第２の方式において、ＵＥ１２０ａは以下のモードをサポートする。
【００３７】
モード１  チェーン１だけがイネーブルにされ、等化器２４２が選択される。
【００３８】
モード２  チェーン１とチェーン２の両方がイネーブルにされ、レイク受信機２４４とレイク受信機２５４の両方が選択される。
【００３９】
モード３  チェーン１だけがイネーブルにされ、レイク受信機２４４だけが選択される。
【００４０】
第２の方式では、ＵＥ１２０ａは、３つのサポートモードのうちの１つまたは複数のための１つまたは複数の性能メトリックを周期的に求める。この場合、ＵＥ１２０ａは、計算した（１つまたは複数の）性能メトリックに基づき、可能な限り電力消費を低減しつつ良好なデータ性能が達成されるように１つのモードを選択する。ＵＥ１２０ａは、計算した（１つまたは複数の）性能メトリックに基づいて推定される、ＵＥの観測するジオメトリに基づいて３つのモードのうちの１つを選択する。一設計では、高いジオメトリにはモード１が選択され、低いジオメトリにはモード２が選択され、中程度のジオメトリにはモード３が選択される。
【００４１】
一設計において、ＵＥ１２０ａは、ＥＱメトリック、Ｒａｋｅ１メトリック、およびＲｘＤ  Ｒａｋｅメトリックを周期的に計算する。ＵＥ１２０ａは、ＵＥ１２０ａが第１の受信チェーンだけを使用するモード１またはモード３で動作している場合、ＲｘＤ  Ｒａｋｅメトリックを計算するために第２の受信チェーンをパワーアップする。次いでＵＥ１２０ａは、３つのモードでの性能メトリックに基づいてこれらのモードのうちの１つを選択する。ＥＱメトリックまたはＲａｋｅ１メトリックがＲｘＤ  Ｒａｋｅメトリックより良い場合、ＵＥ１２０ａは第２の受信チェーンをパワーダウンする。ＲｘＤ  レイクメトリックの方が良い場合、ＵＥ１２０ａはモード２に切り換わり、第２の受信チェーンをパワーアップしたままに保つ。ＵＥ１２０ａは、ＥＱメトリックとレイク１メトリックに基づいて等化器２４２とレイク受信機２４４との間で選択を行う。
【００４２】
別の設計において、ＵＥ１２０ａは、モード１またはモード３で動作しているときに、ＥＱメトリックおよびＲａｋｅ１メトリックを周期的に計算する（ＲｘＤ  Ｒａｋｅメトリックは計算しない）。ＥＱメトリックがＲａｋｅ１メトリックより良い場合、ＵＥ１２０ａはモード１を選択し、Ｒａｋｅ１メトリックがＥＱメトリックに近い場合には、モード２または３を選択する。Ｒａｋｅ１メトリックが、所定の閾値より良いなど十分に良好である場合、ＵＥ１２０ａはモード３を選択し、レイク受信機２４４だけをイネーブルにする。Ｒａｋｅ１メトリックが閾値より悪い場合、ＵＥ１２０ａはモード２を選択し、両方のレイク受信機２４４および２５４をイネーブルにする。モード１またはモード３が選択された場合、ＵＥ１２０ａは第２の受信チェーンをパワーダウンする。
【００４３】
また、ＵＥ１２０ａは、第２の受信チェーンだけがイネーブルにされ、レイク受信機２５４だけが選択されるモードなど、他のモードをサポートしていてもよい。また、ＵＥ１２０ａは、モード１と３だけなど、他のモードの組み合わせをサポートしていてもよい。いずれにしても、サポートモードのうちの１つまたは複数について計算された１つまたは複数の性能メトリックに基づいて、サポートモードのうちの１つが選択される。
【００４４】
図４は、図１のＵＥ１２０の別の設計であるＵＥ１２０ｂのブロック図を示す。この設計において、ＵＥ１２０ｂは、２つの受信アンテナ２１０、２１２、および２つの受信チェーンを含む。第１の受信チェーンは、受信機２２０、等化器２４２およびレイク受信機２４４を含む。第２の受信チェーンは、受信機２２２、等化器２５２およびレイク受信機２５４を含む。
【００４５】
ディジタル部２３０ｂ内において、第１の受信チェーンでは、等化器２４２が、ＥＱ１＿Ｅｎａｂｌｅ信号によってイネーブルにされたとき受信機２２０からのＤｉｎ１サンプルを処理し、データシンボル推定値と、等化器２４２の性能を示すＥＱ１メトリックを提供する。レイク受信機２４４は、Ｒａｋｅ１＿Ｅｎａｂｌｅ信号によってイネーブルにされたときＤｉｎ１サンプルを処理し、データシンボル推定値と、レイク受信機２４４の性能を示すＲａｋｅ１メトリックを提供する。第２の受信チェーンでは、等化器２５２が、ＥＱ２＿Ｅｎａｂｌｅ信号によってイネーブルにされたとき受信機２２２からのＤｉｎ２サンプルを処理し、データシンボル推定値と、等化器２５２の性能を示すＥＱ２メトリックを提供する。レイク受信機２５４は、Ｒａｋｅ２＿Ｅｎａｂｌｅ信号によってイネーブルにされたときＤｉｎ２サンプルを処理し、データシンボル推定値と、レイク受信機２５４の性能を示すＲａｋｅ２メトリックを提供する。
【００４６】
ＲｘＤ  レイクプロセッサ２５６は、レイク受信機２４４からデータシンボル推定値およびＲａｋｅ１メトリックを受け取り、レイク受信機２５４からデータシンボル推定値およびＲａｋｅ２メトリックを受け取る。プロセッサ２５６は、２つのレイク受信機の最終データシンボル推定値を求め、両レイク受信機の性能を示すＲｘＤ  Ｒａｋｅメトリックも求める。ＲｘＤ等化器プロセッサ２４６は、等化器２４２からデータシンボル推定値およびＥＱ１メトリックを受け取り、等化器２５２からデータシンボル推定値およびＥＱ２メトリックを受け取る。プロセッサ２４６は、２つの等化器の最終データシンボル推定値を求め、２つの等化器の性能を示すＲｘＤ  ＥＱメトリックも求める。
【００４７】
コントローラ２６４は、等化器２４２からのＥＱ１メトリック、レイク受信機２４４からのＲａｋｅ１メトリック、等化器２５２からのＥＱ２メトリック、レイク受信機２５４からのＲａｋｅ２メトリック、プロセッサ２５６からのＲｘＤ  Ｒａｋｅメトリック、プロセッサ２４６からのＲｘＤ  ＥＱメトリック、またはこれらのメトリックの任意の組み合わせを受け取る。コントローラ２６４は、これらのメトリックに基づいてサポートモードのうちの１つを選択する。コントローラ２６４は、選択したモードに基づいて、２つの受信チェーン内の様々なハードウェアブロックをイネーブルまたはディセーブルにする制御信号を生成する。
【００４８】
ＵＥ１２０ｂは、以下のモードの任意の組み合わせをサポートする。
【００４９】
モード１  チェーン１だけがイネーブルにされ、等化器２４２だけが選択される。
【００５０】
モード２  チェーン１だけがイネーブルにされ、レイク受信機２４４だけが選択される。
【００５１】
モード３  チェーン２だけがイネーブルにされ、等化器２５２だけが選択される。
【００５２】
モード４  チェーン２だけがイネーブルにされ、レイク受信機２５４だけが選択される。
【００５３】
モード５  チェーン１とチェーン２の両方がイネーブルにされ、等化器２４２と等化器２５２の両方が選択される。
【００５４】
モード６  チェーン１とチェーン２の両方がイネーブルにされ、レイク受信機２４４とレイク受信機２５４の両方が選択される。
【００５５】
ＵＥ１２０ｂは、サポートモードの１つまたは複数のための１つまたは複数の性能メトリックを周期的に求める。ＵＥ１２０ｂは、イネーブルにされていない受信チャネルの（１つまたは複数の）性能メトリックを計算するために、この受信チェーンをパワーアップし、必要でない場合には、後でこの受信チェーンをパワーダウンする。ＵＥ１２０ｂは、計算した（１つまたは複数の）性能メトリックに基づき、可能な限り電力消費を低減しつつ良好なデータ性能が達成されるようにサポートモードのうちの１つを選択する。ＵＥ１２０ｂは、モード選択に任意のアルゴリズムを使用し得る。例えば、ＵＥ１２０ｂは、異なるモードの性能メトリックを相互に比較し、最良の性能メトリックを有するモードを選択する。また、ＵＥ１２０ｂは、異なるモードの性能メトリックを１つまたは複数の閾値と比較し、比較結果に基づいて１つのモードを選択してもよい。一般に、ＵＥ１２０ｂは、任意の基準およびアルゴリズムの組に基づいてモードを選択する。
【００５６】
ＵＥ１２０ｂが、２つの受信チェーン内の２つの等化器または２つのレイク受信機を使用して限界性能利得を達成する場合もあり得る。このような場合の一例は、ＵＥ１２０ｂがセルのサービスエリアの端部に位置していない場合の屋外シナリオであり得る。このような場合には、１つの受信チェーン内の単一の等化器または単一のレイク受信機を使用することにより、相当量の電力を節約することができる。
【００５７】
一般に、受信チェーンをパワーアップするかパワーダウンするかの決定は、データ性能、各受信チェーンによる電力消費などといった様々な要因に左右される。例えば、第２の受信チェーンが約５０ｍＡの電流を消費し、第１の受信チェーン内の等化器が１０ｍＡ未満の電流を消費するとする。この場合、特に、性能利得が限界に近いときには、電池電力を温存するために可能な限り第２の受信チェーンをパワーダウンすることが望ましい。
【００５８】
図５に、図２および図４の等化器２４２の設計のブロック図を示す。この設計は、図４の等化器２５２にも使用され得る。等化器２４２内において、デマルチプレクサ（Ｄｅｍｕｘ）５１２は、チャネル推定器５１４にパイロットのための入力サンプルを提供し、有限インパルス応答（ＦＩＲ）フィルタ５１８にデータのための入力サンプルを提供する。チャネル推定器５１４は、入力サンプルに基づいてチャネル推定値を導出する。計算ユニット５１６は、チャネル推定値に基づいてＦＩＲフィルタ５１８のための等化器係数を計算する。等化器係数は、２００６年４月７日に出願された、「無線通信システムにおける受信器のための等化器（EQUALIZER FOR A RECEIVER IN A WIRELESS COMMUNICATION SYSTEM）」という名称の、本願と同一の譲受人に譲渡されている米国特許出願第１１／３９９８９１号明細書に記載されているように計算される。ＦＩＲフィルタ５１８は、等化器係数を用いて入力サンプルをフィルタリングし、等化サンプルを提供する。逆拡散器５２０は、受信伝送に使用されたチャネル化コードを用いて等化サンプルを逆拡散し、データシンボル推定値を提供する。計算ユニット５２２は、（図５に示すような）等化サンプルまたは（図５に示していない）データシンボル推定値に基づいて、ＥＱメトリックを計算する。
【００５９】
図６は、図２および図４のレイク受信機２４４の設計のブロック図を示す。この設計は、図２および図４のレイク受信機２５４にも使用され得る。この設計において、レイク受信機２４４は、探索器６１０と、Ｎを１以上の任意の整数値とするＮ個の復調素子（すなわちレイクフィンガ）６２０ａ〜６２０ｎを含む。探索器６１０は、Ｎｏｄｅ  Ｂによって送信されたパイロットに基づいて受信信号内の強いマルチパスを探索し、１つまたは複数の基準を満たす各マルチパスの強度およびタイミングを提供する。十分な信号強度のものなど、対象となる各マルチパスを処理するために１つのレイクフィンガ６２０が割り当てられる。
【００６０】
レイクフィンガ６２０ａ内において、デスクランブラ６２２は、スクランブリングシーケンスを用いて入力サンプルを逆スクランブルし、逆スクランブルサンプルを提供する。データ逆拡散器６２４は、受信伝送に使用されたチャネル化コードを用いて逆スクランブルサンプルを逆拡散し、逆拡散データシンボルを提供する。パイロット逆拡散器６２６は、パイロットに使用されたチャネル化コードを用いて逆スクランブルサンプルを逆拡散し、逆拡散パイロットシンボルを提供する。フィルタ６２８は、逆拡散パイロットシンボルをフィルタリングし、パイロット推定値を提供する。データ復調器（Ｄｅｍｏｄ）６３０は、パイロット推定値を用いて逆拡散データシンボルのコヒーレントな復調を実行し、レイクフィンガ６２０ａに割り当てられたマルチパスの検出シンボルを提供する。残りの各レイクフィンガ６２０も同様に、それぞれに割り当てられたマルチパスの入力サンプルを処理する。
【００６１】
シンボル合成器６４０は、割り当てられたすべてのレイクフィンガからの検出シンボルを受け取り、合成する。合成器６４０は、異なるレイクフィンガからの検出シンボルを時間的に整合させ、時間的に整合されたシンボルを合成し、データシンボル推定値を提供する。計算ユニット６４２は、データシンボル推定値に基づいてＲａｋｅ１メトリックを計算する。
【００６２】
図７は、ＵＥにおいてダイバーシティ受信機を動作させるプロセス７００の設計を示す。受信伝送を処理するために第１の受信チェーン内の等化器が使用される第１のモードについて、第１の性能メトリックが求められる（ブロック７１２）。受信伝送を処理するために第１の受信チェーン内の第１のレイク受信機および第２の受信チェーン内の第２のレイク受信機が使用される第２のモードについて、第２の性能メトリックが求められる（ブロック７１４）。第１および第２の性能メトリックは、ＣＱＩ、Ｅｃ／Ｉｏ、Ｅｂ／Ｎｔ、および／または他の種類のメトリックを含む。第１および第２の性能メトリックに基づいて、第１または第２のモードが選択される（ブロック７１６）。第１のモードが選択された場合には、第２の受信チェーンがパワーダウンされる（ブロック７１８）。
【００６３】
第１の性能メトリックは、等化器の性能に基づいて求められ、ＥＱメトリックに対応する。一設計において、第２の性能メトリックは、第１および第２のレイク受信機の性能に基づいて求められ、ＲｘＤ  Ｒａｋｅメトリックに対応する。この設計において、第２の受信チェーンは、第１のモードが選択されているとき、第２の性能メトリックを求めるために各更新間隔において周期的にパワーアップされる。別の設計において、第２の性能メトリックは、第１のモードが選択されている場合には第１のレイク受信機だけの性能に基づいて求められ、Ｒａｋｅ１メトリックに対応する。この設計では、第２のモードが選択されている場合、第２の性能メトリックは、第１のレイク受信機だけ、または両方のレイク受信機の性能に基づいて求められる。
【００６４】
一設計において、第１の性能メトリックは、第２の性能メトリックと比較される。第１の性能メトリックが第２の性能メトリックより良い場合には、第１のモードが選択される。第２の性能メトリックが第１の性能メトリックより良い場合には、第２のモードが選択される。別の設計において、第１および第２の性能メトリックは、少なくとも１つの閾値と比較される。次いで、比較の結果に基づいて第１または第２のモードが選択される。
【００６５】
一設計では、第１または第２のモードが選択された場合、等化器と第１のレイク受信機の両方がパワーアップされる。別の設計では、第１のモードが選択された場合、等化器だけがパワーアップされる。一設計において、第２のレイク受信機は、第２のモードが選択された場合にのみパワーアップされる。また、等化器およびレイク受信機は、別のやり方でパワーアップされてもよい。
【００６６】
一設計において、ＵＥは、受信伝送を処理するために第２の受信チェーン内の第２のレイク受信機だけが使用される第３のモードをサポートする。別の設計において、ＵＥは、受信伝送を処理するために第１の受信チェーン内の等化器および第２の受信チェーン内の第２の等化器が使用される第３のモードをサポートする。どちらの設計でも、第３のモードについて、第３の性能メトリックが求められる。次いで、第１、第２および第３の性能メトリックに基づいて、第１、第２または第３のモードが選択される。また、ＵＥは、異なるモードおよび／または追加のモードをサポートしてもよい。
【００６７】
本明細書で説明した技術は様々な手段によって実施され得る。例えば、これらの技術は、ハードウェア、ファームウェア、ソフトウェア、またはこれらの組み合わせとして実施されてもよい。ハードウェア実装形態では、これらの技術を実行するために使用される処理装置は、１つまたは複数の特定用途向け集積回路（ＡＳＩＣ）、ディジタル信号プロセッサ（ＤＳＰ）、ディジタル信号処理装置（ＤＳＰＤ）、プログラマブル論理回路（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他の電子装置、コンピュータ、またはこれらの組み合わせの内部に実装され得る。
【００６８】
ファームウェアおよび／またはソフトウェア実装形態では、これらの技術は、本明細書で説明した機能を実行するコード（手順、関数、モジュール、命令など）を用いて実施され得る。一般に、本明細書で説明した技術を実施するに際しては、ファームウェアおよび／またはソフトウェアコードを具体的に具現化する任意のコンピュータ／プロセッサ可読媒体が使用される。例えば、ファームウェアおよび／またはソフトウェアコードは、メモリ（図２のメモリ２２８など）に格納され、プロセッサ（プロセッサ２６０など）によって実行されてもよい。メモリは、プロセッサ内に実装されても、プロセッサの外部に実装されてもよい。また、ファームウェアおよび／またはソフトウェアコードは、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、ディジタル多用途ディスク（ＤＶＤ）、磁気または光データ記憶装置などといったコンピュータ／プロセッサ可読媒体に格納されていてもよい。コードは、１つまたは複数のコンピュータ／プロセッサによって実行することができ、（１つまたは複数の）コンピュータ／プロセッサに、本明細書で説明した機能のいくつかの態様を実行させることができる。
【００６９】
本明細書で説明した技術を実施する装置は、スタンドアロンユニットとすることもでき、装置の一部とすることもできる。装置は、（ｉ）スタンドアロン集積回路（ＩＣ）、（ｉｉ）データおよび／または命令を格納するメモリＩＣを含み得る１つまたは複数のＩＣのセット、（ｉｉｉ）移動局モデム（ＭＳＭ）などのＡＳＩＣ、（ｉｖ）他の装置内に組み込まれたモジュール、（ｖ）携帯電話機、無線装置、ハンドセット、モバイルユニット、（ｖｉ）これら以外のものなどとすることができる。
【００７０】
本開示の以上の説明は、当業者が本開示を作成または使用することを可能にするために提供するものである。当業者には、本開示への様々な変更が容易に理解されるはずであり、本明細書で定義される包括的原理は、本開示の精神または範囲を逸脱することなく他の変形形態に適用され得る。よって、本開示は、本明細書で説明した例および設計だけに限定されるものではなく、本開示には、本明細書で開示されている原理および新規の特徴との整合性を有する最大限の範囲が許容されるべきである。
【図１】
2010514273.tif 000003
【図２】
2010514273.tif 000004
【図３】
2010514273.tif 000005
【図４】
2010514273.tif 000006
【図５】
2010514273.tif 000007
【図６】
2010514273.tif 000008
【図７】
2010514273.tif 000009
【国際調査報告】
2010514273.tif 000010
2010514273.tif 000011
2010514273.tif 000012